(57)【要約】  ボール（１）は、直径Ｄが700×10-6ｍ〜2500×10-6ｍの範囲にあって且つその表面に彫刻された少なくとも１つのサイン（２）を具備する。該サイン（２）は、前記ボール（１）の球形キャップの表面に設置されていて且つ彫刻された個別のセル（３）のシステムにより構成されており、そこでは前記キャップの基礎が10×10-6ｍ〜０．５πＤの範囲にある外周ＯＤを有し、更に前記セル（３）の平面図における形状を制限する円の直径Ｄcは、10×10-6ｍ〜１／７Ｄの範囲にあるので、それにより前記セル（３）の深さは、５×10-6ｍ〜２×Ｄcの範囲にある。
2008513237.tif 000002
【特許請求の範囲】
【請求項１】
直径Ｄが700×10-6ｍ〜2500×10-6ｍの範囲にあって且つその表面に彫刻された少なくとも１つのサイン（２）を具備する、ペンチップ（９）のボール（１）において、
前記サイン（２）は、前記ボール（１）の球形キャップの表面に設置されていて且つ彫刻された個別のセル（３）のシステムにより構成されており、そこでは前記キャップの基礎が10×10-6ｍ〜０．５πＤの範囲にある外周ＯＤを有し、更に前記セル（３）の平面図における形状を制限する円の直径Ｄcは、10×10-6ｍ〜１／７Ｄの範囲にあるので、それにより前記セル（３）の深さは、５×10-6ｍ〜２×Ｄcの範囲にあることを特徴とするペンチップ（９）のボール（１）。
【請求項２】
前記ボール（１）の表面は、連続するバンド（Ｋ）によって好適には構成されていて且つ前記ボール（１）の表面を通過する面に設置されていて且つセル（３）のない、少なくとも１つの区域を具備することを特徴とする請求項１に記載のペンチップ（９）のボール（１）。
【請求項３】
前記ボール（１）の表面は、２つのバンド（Ｋ）を具備しており、前記バンドの内の第１のバンドは、子午線方向に設置される一方で、第２のバンドは、前記第１のバンドに垂直であることを特徴とする請求項２に記載のペンチップ（９）のボール（１）。
【請求項４】
前記バンド（Ｋ）の幅（Ｂ）は少なくとも10×10-6ｍであることを特徴とする請求項３に記載のペンチップ（９）のボール（１）。
【請求項５】
前記ボール（１）の表面は、余分な記入媒体を拭いさるためのリング（４）に隣接しており、前記リング（４）は、記入媒体の規定された量が、前記ボール（１）がその上を転がる、紙シートに接触する前記ボール（１）の表面に供給されることを可能にすることを特徴とする請求項１から４のいずれか一項に記載のペンチップ（９）のボール（１）。
【請求項６】
前記ボール（１）の表面から余分な記入媒体を拭いさるための前記リング（４）は、記入する間において前記紙シート上を転がる、前記ボール（１）の表面に、必要な前記記入媒体を供給するための前記リング（４）の前部を通過する面から窪む溝（５）を、前記ボール（１）の表面に隣接するその表面に具備することを特徴とする請求項５に記載のペンチップ（９）のボール（１）。
【請求項７】
前記溝（５）は螺旋状の部分の形態であることを特徴とする請求項６に記載のペンチップ（９）のボール（１）。
【請求項８】
前記溝（５）は４５度の角度で傾斜することを特徴とする請求項６又は７に記載のペンチップ（９）のボール（１）。
【請求項９】
前記ボール（１）は、溝（５）が設けられた前記ペンチップ（９）の座（１１）に設置されており、前記溝（５）は、前記ボール（１）の表面に隣接しており、前記ボール（１）がその上を転がる紙シートに接触する、前記ボール（１）の表面に記入媒体の規定された量を供給するために具備される、ことを特徴とする請求項１から４のいずれか一項に記載のペンチップ（９）のボール（１）。
【請求項１０】
前記セル（３）の少なくとも１つは、その底部（６）にマイクロコード（７）を具備することを特徴とする請求項１から９のいずれか一項に記載のペンチップ（９）のボール（１）。
【請求項１１】
前記セル（３）の少なくとも１つは、その底部（６）に、マイクロコード（７）を設置するための少なくとも１つの空洞（８）を具備することを特徴とする請求項１から９のいずれか一項に記載のペンチップ（９）のボール（１）。
【請求項１２】
前記サインの線の厚み（ｔ）は、10×10-6ｍを超えることを特徴とする請求項１から１１のいずれか一項に記載のペンチップ（９）のボール（１）。
【請求項１３】
その深さに垂直な前記セル（３）の断面は、円形、長方形、多角形、ひし形又は偏菱形の形状であることを特徴とする請求項１から１２のいずれか一項に記載のペンチップ（９）のボール（１）。
【請求項１４】
前記サイン（２）は、英数字文字及び／又は画及び／又はロゴ及び／又はバーコードであることを特徴とする請求項１から１３のいずれか一項に記載のペンチップ（９）のボール（１）。
【請求項１５】
前記ボール（１）は、窒化ケイ素Si3N4により形成されることを特徴とする請求項１から１４のいずれか一項に記載のペンチップ（９）のボール（１）。
【請求項１６】
前記ボール（１）は、ガラス、セラミックス、プラスチック、ルビー、サファイア及び鉄鋼を含むグループから選択された材料により形成されることを特徴とする請求項１から１５のいずれか一項に記載のペンチップ（９）のボール（１）。
【発明の詳細な説明】
【技術分野】
【０００１】
本発明は、ボール表面に彫刻された英数字のコード（記号）及び／又は画及び／又はロゴ（商標）及び／又はバーコードの形態の選択されたサインの手段により、その改ざん（又は変造）に対する署名の保護のために主に使用されるペンチップ（先端部）において挿入されるペンボールに関する。結局、隠された鏡画像が、紙シート（面）上でボールを転がして、例えば、署名を表す線を形成することにより描かれる。
【背景技術】
【０００２】
多くの場合に、契約書、注文書、財産及び財務事項に関する別の文書（又は、法律文書）等の重要書類について、人名をそこに署名することによる正当性の確認が必要になる。しかし、多くの場合において、署名が変造されて、書類が悪用されることは一般的に知られている。一般的に、署名を変造することは比較的容易であるが、その一方でその信憑性の確認は、時間を要し且つ高度な技術を必要とする作業である可能性があり、専門家にとってでさえ困難な可能性がある。
従来のボールペンは、この問題を解決するため、即ち、署名が本物であることを確認するために発明された。その様なペンは、それらの記入する本体に彫刻されたサイン（署名）を備えるが、しかしそれらの本体は、ほとんど円筒形状である。結局、それらの表面は、紙上で一方向においてのみ転がり、従って、一方向の線しか描けない。通常の記入手段により署名された署名の信憑性は、それの下線を引くこと又は署名を横切る線を導くことにより確保可能である。その様な解決案は、例えば、特許出願PCT/IN3/00162に開示されている。その様に発明されたペンは、信頼可能ではない性能により特徴付けられていた。毛管現象が、記入する液体フィルム（膜）により覆われる場合に、彫刻されたサインを有する区域に発生する。サインは、塞がれるので、その様な目的のためのボールペンの機能は、実質的に失われる。
【発明の開示】
【０００３】
上記の困難さは、本発明によるペンボールにより克服される。ペンチップ（先端部）に設置されるボールは、700×10-6ｍ〜2500×10-6ｍの範囲にある、直径Ｄを有し、英数字の記号及び／又は画及び／又はロゴ（商標）の形でその表面に彫刻された少なくとも１つのサインを備える。本発明の主要な基本的特徴は、サインが、ボール（１）キャップに設置されていて且つ彫刻された個別のセルのシステムにより形成されるものである。ボールキャップの基礎（ベース）の円周（外周）ＯＤが、約10×10-6ｍ〜０．５πＤの範囲にあり、更にセルの平面図における形状を制限する円の直径Ｄcは、10×10-6ｍ〜１／７Ｄの範囲にある一方で、セルの深さは、約５×10-6ｍ〜２×円のＤcの範囲にある。説明されたような幾何学形状を表す少なくとも１つのサインを具備する、ボールの利点は、紙シート上を転がる場合に、ボールはその様なサインの軌跡を線の状態で描くこと、それは適切に拡大されると、容易に判読可能であっても良いこと、その品質は、記入媒体の特性により又はその時の方向の変化により最小限でしか影響されないこと、及びその様なボールはまた大量生産に最も適することである。製造において、利点は、サイン又はその一部分は、ボールの位置を変更する必要なしで、１つの製造手順において締結されたボール上に彫刻することにより、ボール表面又はボールキャップにそれぞれ形成されることである。
【０００４】
好適には、ボール表面は、ボール表面の面に設置されていて且つセルのない、少なくとも１つの区域を具備しても良い。もしその様な区域が、ボールの全外周に沿って伸張する、閉じた連続するバンドを構成するならば、それもまた好適である。連続するバンドは、ペンチップの保持部分の座において、最小の摩擦変化率でボールの信頼可能な回転を確保する。
【０００５】
ボール表面は、２つの連続するバンドを好適に具備しても良く、前記バンドの内の１つは、子午線方向に設置されており、もう一方のバンドは、それに垂直である。第１の実施の形態のように、バンドは、ペンチップの保持部におけるボールの信頼可能な回転を確保する。
【０００６】
チップの座におけるボールの回転において、ボールの摩擦を抑制するために、前記バンドは、少なくとも10×10-6ｍの幅を有するであることが好ましい。
【０００７】
紙シートに接触する、ボール表面の少なくとも一部は、記入媒体の最も均一な膜により恒久的にカバーされており、ボール表面から余分な記入媒体を拭い去って、更にボール表面のこの区域が、適切に拡大されるとサインが実際に可視になるような品質で形成される、線を保証するような記入媒体の量だけを収容することを可能にするために、ボールは、その表面に隣接するリングを具備する。
【０００８】
余分な記入媒体を拭い去るためのリングは、リングの前面を通過する面に斜めの溝を、ボール表面に隣接するその表面に具備することが好ましい。ボールの表面に供給される記入媒体の量は、紙シート上を転がって線を形成する場合に、溝の角度と、それらの数量と、断面積とにより制御されても良い。
【０００９】
溝の実施例の有利な形態の１つは、溝を螺旋状の部分の形状で形成するか又は４５度の角度で溝を傾斜させることである。紙シート上を転がって線を形成する、ボールの表面に供給される記入媒体の量は、溝の数量及び断面積により制御されても良い。
【００１０】
その上をボールが転がる紙シートに接触するボール表面への記入媒体の前もって決められた量の供給を確保する溝は、ボールが保持されるペンチップの座に好適に形成されても良い。
【００１１】
もしセルの少なくとも１つが、ボール又はペンの製造者を識別するか、あるいは別の情報を具備する、識別マイクロコードを、その底部に具備するならば、それは好ましい。同じ効果に対して、識別コードは、セル底部に形成された凹部に設置されても良い。
【００１２】
ペンボールは、サインの線の厚みが10×10-6ｍより太いような状態で形成されることが好ましい。従って、線の厚みは最小セル直径に対応する。
【００１３】
本技術的解決案の利点は、セル製作のために使用される技術に従い、セルが円形、長方形、多角形、ひし形又は偏菱形の形状の断面を有しても良いことである。
【００１４】
製造上の理由に関して、もしボールが窒化ケイ素Si3N4により形成されるならば、それは好ましい。例えば、レーザービームにより、この材料から製作されたボール表面においてサインを彫刻する場合に、フィンが球表面上に突き出るように、セル周囲に沿って形成されることはなく、従って、これの追加的機械加工を回避できる。
【００１５】
ボールは、ガラス、セラミックス、プラスチック、ルビー、サファイア及び鉄鋼を含むグループの材料により形成可能である。
【００１６】
本発明は、添付図面によって、より詳細に説明される。
【発明を実施するための最良の形態】
【００１７】
図１に示すように、Ｄ700×10-6〜2500×10-6ｍの範囲の直径を有するボール（球）１の表面は、ボールキャップの形において規定された区域を具備しており、それ（ボールキャップ）の基礎は、セル（細胞体）３の概略の最小寸法に等しい外周ＯＤ、即ち、10×10-6〜0.5πＤの範囲にある直径Ｄcに等しい外周ＯＤを有する。
【００１８】
もし完全な形状及び／又は部分的形状において、英数字のサイン及び／又は画及び／又はロゴ（商標）及び／又はバーコードの形であっても良い、サイン２がボールキャップの表面に彫刻される場合は、ボール１を紙シート上で転がして線を描いた後に、線に含まれるサイン２は、図１２及び１４に示されるように適切に拡大されると、判読可能である。
【００１９】
区画されたボールキャップの表面部上におけるサイン２の形成は、サイン２がボール１表面において彫刻される場合に、更に有利である。もしサイン２又はその一部又は複数のサイン２がボール１の表面上に形成されるならば、その様なサイン２が該ボールキャップ上に配置されるセル３により形成される場合に、サイン２又はサイン２のグループ（群）を形成すると、レーザー源に関してボール１の位置を変更する必要なしで、レーザービームにより、その様なサイン２又は共にサイン２を構成するセル３を形成することが出来る。彫刻の原（要）因において、ボール１は、例えば、支持部上に、支持部の隣接区域の形成される大気圧より低い圧力の吸引効果により保持される。
ボール１の該構造要素の使用は従って、大量生産に関してやはり有利である。
【００２０】
図１の実施の形態において、セル３は、白い小さな円として表示されており、その円は、ボール１が支持部に保持され彫刻される場合に、１つの製造手順でボールキャップの表面に理論的には彫刻可能であるので、それによりボール１を紙シート上で転がすと、紙表面上でボール１の表面のそれぞれの部分の転がりが完了した後に、紙におけるその軌跡（押印）の形成は、保障されるはずである。
【００２１】
セル３は、彫刻によりボール１の表面に形成された微細窪み（マイクロピット）として理解される。図１の黒いドット（点）は、ボールキャップの表面に実際に彫刻されたセル３を表しており、それらは、この例において示されるように配置されたセル３のシステムを構成して、文字“Ｍ”の形でサイン２を形成する。図２において、部分図ａ）からｈ）は、図５に示すように、深さＨに対して垂直な、セル３の断面又はセル３の可能な平面図形状をそれぞれ実例説明する。
【００２２】
セル３の形状は、セル３の特徴的寸法を表す直径Ｄcを有する円により制限されており、それ（直径Ｄc）は、本発明の目的を実現するために、ボール１の直径に対して維持されなければならない。
セル３が、それらが全て一緒に必要な画又は文字の形のサイン２を表示可能であるような位置に配置されることは明らかである。
【００２３】
断面構成は、セル３の形成に使用される技術により決定される。守るべき条件は、セル３の形状を制限する円の直径Ｄcが、10×10-6ｍから1/7Dまでの範囲に少なくともあり、更にセル３の深さが５×10-6ｍから２×円のＤcまでの範囲に少なくともあることである。サイン２の線の最小厚みは、セル３の最小直径、即ち約10×10-6ｍに等しい。図３は、バンド（帯）Ｋを具備するボール１の表面の図式図であり、バンドＫは、お互いに対して垂直であり、ボール１が設置される、チップ（先端部）９の座１１の表面又は図９に示すようなボール１に接触する別の表面上におけるボール１の良好な滑動を確保する。図４は、バンドＫの軌道を図解する彫刻されたサインの１つの完全な実施の形態を示す。図３において、ボール１の表面部分１０は、ハッチング（斜線）で記される。そのハッチングは、セル３の連続的な場所（フィールド）が形成されても良い、ボールキャップ区域を図式的に示す。図３から分かるように、ボール１の表面部分１０は、バンドＫにより別の表面から分離される。同様に、セル３は、本実施の形態において四分円として示される、表面部分１０に形成可能である。
【００２４】
しかし、ペンチップの座１１の壁におけるボール１の低摩擦を確保するために、従ってその信頼可能な回転更には結果的に記入工程において紙シート上の転がりを確保するために、表面部１０は、該バンドＫにより分離される。バンドＫの幅Ｂは、少なくとも10×10-6ｍである必要があり、即ち、セル３の最小直径Ｄcに等しい必要がある。バンドＫは、ボール１の面に配置される。ボール１の良好な機能、即ち、ボール１を具備するボールペンにより描かれた線における判別可能なサインの形成を確保するために、もし溝５を具備するリング４がボール１の表面に設置される場合は、有利である。リング４の図式的平面図は図７に示される。図８は、図７の線Ａ−Ａに沿ってとられたリング４の断面Ａ−Ａを示す。幅ｘを有する溝５は、リング４の前面を通り通過する平面に対して斜めの角度で傾斜する。溝５は、直線で、角度４５度で傾斜可能であり、あるいは螺旋部分を形成するように配置されても良い。リング４の周囲における溝５の数、それらの傾斜、形状及び寸法は、使用される記入媒体に依存する。溝５は、ボールペンのチップ９の座１１に形成されても良い。図９は、リング４がそこに設置される、ペンチップの座１１に設置されるボール１の図式図である。図５は、ボール１の表面に形成されたセル３の１つの実施の形態の断面図を示す。セル３は、その底部８に空洞凹部８を具備しており、底部の下部は、ボール１又はペンの製造者を識別するマイクロコード（微細符号）７を備えるか又は、任意の別の情報を備える。その様なセル３の平面図は図６に示される。セル３の形状とそれらの寸法の組み合わせにより、種々の表面形状又はサイン２が、図１０に示すように形成されても良い。セル３の形状の周りで制限する円の中心は、以下の式の範囲以内の距離Ｌodでお互いから離隔する。
【００２５】
【数１】
2008513237.tif 000003
ここで、Ｄ＝ボール１の直径、Ｂ＝バンドＫの幅、Ｄc1及びＤc2＝隣接するセル３の直径。
【００２６】
図１１は、セル３の構成の例を示しており、それらの中心間の種々の距離ＬodがＣodとして指示される。図１２は、ボール１を紙シート上で転がすことにより形成されるそれらの画像を示す。
【００２７】
ボール１を紙シート上で転がした後に、紙シート上で無秩序で且つ偶然の方向で移動した場合でさえも、例えば、１００倍の適切な拡大後、サイン２は、具体的な個人を指定するコード（符号）の部分を構成することが示されても良い、線が形成される。コードの存在は、その様な個人の署名が本物であって、真であることの証拠である。ボール１の表面に彫刻されたサイン２の例は、図１２及び１４に示される。両方の例において、1.5ｍｍのボール直径Ｄが使用された。図１３は、図１２のボール１において、本出願による方法により、彫刻されたサイン２の「軌跡（押印）」を具備する線の部分の１００倍の拡大を示す。図１４は、ボール１の別の例を示し、図１５は、ボール１により形成されたサイン２の画像及び線の部分の、１７０倍の拡大での図を示す。
【００２８】
産業上の用途
ペンチップのボールは、サイン２の形のコード又はペンの所有者により選択されたサイン２のシステムを具備していて且つ所有者の署名の信憑性を証明する、任意の曲線を表す線の形成に使用可能である。従って、本技術解決案によるペンチップのボールは、他人が署名又は別の書類識別サインを変造することを防止する。
【図面の簡単な説明】
【００２９】
【図１】図１は、本発明のペンボールの図式図であって、ボールキャップ表面に理論的に彫刻可能である、１式のセルを白いセルが表す、ボールキャップの形状におけるボール表面の一部が示されるが、その一方でレーザービーム源に対するボールの位置は、変化しないで保持されており、黒いセルは、文字Ｍの形でサインを形成する、ボールキャップ表面に実際に彫刻されたセルシステムを表す。
【図２】図２は、部分図ａ）からｈ）で、サインが形成されても良い、セルの形状の平面図を示す。
【図３】図３は、ボールの全周囲を囲んでいて且つそこにセルが形成される、連続したバンドを具備する、ボール表面の図である。
【図４】図４は、個別のセルから形成された文字Ｍの形の彫刻されたサインと、彫刻のない破断されたバンドとを具備するペンボール表面の図である。
【図５】図５は、そこに彫刻されたセルを有するボールの断面図を示し、そこではマイクロコードを設置するための空洞凹部が形成される（この例において、コードは００７である）。
【図６】図６は、図５に示されるセルの平面図である。
【図７】図７は、ボール表面から余分な記入媒体を拭うための溝を具備する、隣接するリングを有するボール表面の平面図である。
【図８】図８は、図７からのリングの断面図であり、リング内の溝及びそれらの傾斜の図式図を示す。
【図９】図９は、ペンチップに設置されたリングを有するボールの図式図である。
【図１０】図１０は、全体として、描かれた線に含まれていて且つ本発明に従うボールペンを所有する、人を識別する、サインを形成する、種々の平面図、形状及び寸法の彫刻されたセルのシステムの図である。
【図１１】図１１は、セルの間に異なる空間が存在する状態のセルの図式図を示す。
【図１２】図１２は、本発明により彫刻された文字グループを有するボール表面の図である。
【図１３】図１３は、約１００倍の拡大で、図１２のボールにより描かれていて且つ該文字のグループの軌跡を有する、線の図である。
【図１４】図１４は、彫刻された別の文字のグループを有する拡大されたボール表面の別の図である。
【図１５】図１５は、該文字のグループの軌跡を含む１７０倍で拡大された、線の図である。
【図１】
2008513237.tif 000004
【図２】
2008513237.tif 000005
【図３】
2008513237.tif 000006
【図４】
2008513237.tif 000007
【図５】
2008513237.tif 000008
【図６】
2008513237.tif 000009
【図７】
2008513237.tif 000010
【図８】
2008513237.tif 000011
【図９】
2008513237.tif 000012
【図１０】
2008513237.tif 000013
【図１１ａ】
2008513237.tif 000014
【図１１ｂ】
2008513237.tif 000015
【図１２】
2008513237.tif 000016
【図１３】
2008513237.tif 000017
【図１４】
2008513237.tif 000018
【図１５】
2008513237.tif 000019
【国際調査報告】
2008513237.tif 000020
2008513237.tif 000021